(57)【要約】【課題】近距離無線通信を用いて、大容量のデータ通信を容易に行う。【解決手段】携帯電話機１と認証装置２とは、ＲＦＩＤによる第１の通信を用いて接続可能であり、かつ、Ｂｌｕｅｔｏｏｔｈ（登録商標）による第２の通信を用いて接続可能である。認証装置２は、第２の通信に必要な第２通信設定情報を、第１の通信を用いて携帯電話機１へ送信する。そして、携帯電話機１は、第２の通信を用いて接続するための設定処理を、利用者からの入力を伴うことなく、認証装置２から送信されてきた第２通信設定情報ＣＦＧを用いて自動的に行う。【選択図】図１
2010114740.tif 000002
【特許請求の範囲】
【請求項１】
ＲＦＩＤ（Radio Frequency IDentification）による第１の通信方式を用いて通信が可能であり、かつＢｌｕｅｔｏｏｔｈ（登録商標）による第２の通信方式を用いて通信が可能である、認証装置と携帯端末とから構成される通信システムにおいて、
前記認証装置は、前記第１の通信方式を用いて前記携帯端末を検出した場合、前記第２の通信方式を用いた通信に必要な通信必要情報を生成して前記第１の通信方式を用いて該携帯端末へ送信し、前記携帯端末から前記第２の通信方式を用いた通信の開始を要求する開始要求信号と前記通信必要情報とが送信されてきた場合、該送信されてきた通信必要情報と前記生成した通信必要情報とが一致したら、前記第２の通信方式を用いて所定の配信情報を前記携帯端末へ送信し、
前記携帯端末は、前記認証装置から前記通信必要情報が送信されてきた後、該通信必要情報と前記開始要求信号とを前記第２の通信方式を用いて前記認証装置へ送信することを特徴とする通信システム。
【請求項２】
請求項１に記載の通信システムにおいて、
前記認証装置は、前記通信必要情報を受信した旨を示す設定情報受信通知が前記携帯端末から送信されてきた場合、前記第１の通信方式を用いた接続の終了を要求する終了要求信号を前記第１の通信方式を用いて該携帯端末へ送信し、
前記携帯端末は、前記通信必要情報が前記認証装置から送信されてきた場合、前記設定情報受信通知を前記第１の通信方式を用いて該認証装置へ送信し、前記終了要求信号が前記認証装置から送信されてきた場合、第１の通信方式を用いた前記認証装置との接続を切断することを特徴とする通信システム。
【請求項３】
請求項２に記載の通信システムにおいて、
前記認証装置は、前記通信必要情報として、前記認証装置を識別するための認証装置識別情報を前記第１の通信方式を用いて前記携帯端末へ送信し、
前記携帯端末は、前記第１の通信方式を用いた接続を切断した後、前記携帯端末から所定の距離以内に存在する認証装置から認証装置識別情報を前記第２の通信方式を用いて読出し、該読出した認証装置識別情報のうち前記認証装置から送信されてきた認証装置識別情報と一致する認証装置識別情報を指定して前記開始要求信号を送信することを特徴とする通信システム。
【請求項４】
請求項３に記載の通信システムにおいて、
前記認証装置は、前記第１の通信方式を用いて前記携帯端末を検出するごとに互いに異なる前記通信必要情報を前記携帯端末へ送信することを特徴とする通信システム。
【請求項５】
請求項１乃至４のいずれか１項に記載の通信システムにおいて、
前記携帯端末は、前記第２の通信方式を用いて前記認証装置と接続した旨を外部へ通知することを特徴とする通信システム。
【請求項６】
ＲＦＩＤ（Radio Frequency IDentification）による第１の通信方式を用いて認証装置と通信が可能であり、かつＢｌｕｅｔｏｏｔｈ（登録商標）による第２の通信方式を用いて認証装置と通信が可能である、携帯端末であって、
前記第２の通信方式を用いた通信に必要な通信必要情報が前記認証装置から送信されてきた後、該通信必要情報と、前記第２の通信方式を用いた通信の開始を要求する開始要求信号とを、前記第２の通信方式を用いて前記認証装置へ送信する通信接続部を有する携帯端末。
【請求項７】
請求項６に記載の携帯端末において、
前記通信必要情報が前記認証装置から送信されてきた場合、該通信必要情報を受信した旨を示す設定情報受信通知を前記第１の通信方式を用いて該認証装置へ送信する設定情報受信部と、
前記第１の通信方式を用いた接続の終了を要求する第１通信終了要求が前記認証装置から送信されてきた場合、該第１の通信を用いた前記認証装置との接続を切断する切断部とを有することを特徴とする携帯端末。
【請求項８】
請求項７に記載の携帯端末において、
前記切断部が前記第１の通信方式を用いた接続を切断した後、当該携帯端末から所定の距離以内に存在する認証装置から認証装置識別情報を前記第２の通信方式を用いて読出す装置情報読出部を有し、
前記通信接続部は、前記装置情報読出部が読出した認証装置識別情報のうち前記認証装置から送信されてきた認証装置識別情報と一致する認証装置識別情報を指定して前記開始要求信号を送信することを特徴とする携帯端末。
【請求項９】
請求項６乃至８のいずれか１項に記載の携帯端末において、
前記第２の通信方式を用いて前記認証装置と接続した旨を外部へ通知する通知部を有することを特徴とする携帯端末。
【請求項１０】
ＲＦＩＤ（Radio Frequency IDentification）による第１の通信方式を用いて携帯端末と通信が可能であり、かつＢｌｕｅｔｏｏｔｈ（登録商標）による第２の通信方式を用いて該携帯端末と通信が可能である、認証装置であって、
前記第１の通信方式を用いて前記携帯端末を検出した場合、前記第２の通信方式を用いた通信に必要な通信必要情報を生成する識別情報生成部と、
前記生成した通信必要情報を前記第１の通信方式を用いて該携帯端末へ送信する識別情報送信部と、
前記第２の通信方式を用いた通信の開始を要求する開始要求信号と前記通信必要情報とが前記携帯端末から送信されてきた場合、該送信されてきた通信必要情報と、前記識別情報生成部が生成した通信必要情報とを比較する比較部と、
前記比較の結果、前記送信されてきた通信必要情報と前記生成した通信必要情報とが一致した場合、所定の配信情報を前記第２の通信方式を用いて前記携帯端末へ送信する配信情報送信部とを有する認証装置。
【請求項１１】
請求項１０に記載の認証装置において、
前記通信必要情報を受信した旨を示す設定情報受信通知が前記携帯端末から送信されてきた場合、前記第１の通信方式を用いた接続の終了を要求する終了要求信号を、前記第１の通信方式を用いて該携帯端末へ送信する終了部を有することを特徴とする認証装置。
【請求項１２】
請求項１１に記載の認証装置において、
前記識別情報送信部は、当該認証装置を識別するために該認証装置にあらかじめ付与された認証装置識別情報を、前記通信必要情報として、前記第１の通信方式を用いて前記携帯端末へ送信することを特徴とする認証装置。
【請求項１３】
請求項１２に記載の認証装置において、
前記識別情報生成部は、前記第１の通信方式を用いて前記携帯端末を検出するごとに互いに異なる前記通信必要情報を生成することを特徴とする認証装置。
【請求項１４】
ＲＦＩＤ（Radio Frequency IDentification）による第１の通信方式を用いて通信が可能であり、かつＢｌｕｅｔｏｏｔｈ（登録商標）による第２の通信方式を用いて通信が可能である、認証装置と携帯端末との間で通信を行う通信方法であって、
前記認証装置が、前記第１の通信方式を用いて前記携帯端末を検出した場合、前記第２の通信方式を用いた通信に必要な通信必要情報を生成する識別情報生成処理と、
前記認証装置が、前記生成した通信必要情報を前記第１の通信方式を用いて該携帯端末へ送信する識別情報送信処理と、
前記携帯端末が、前記認証装置から前記通信必要情報が送信されてきた後、該通信必要情報と、前記第２の通信方式を用いた通信の開始を要求する開始要求信号とを、前記第２の通信方式を用いて前記認証装置へ送信する通信接続処理と、
前記認証装置が、前記開始要求信号と前記通信必要情報とが前記携帯端末から送信されてきた場合、該送信されてきた通信必要情報と、前記識別情報生成処理にて生成した通信必要情報とを比較する比較処理と、
前記認証装置が、前記比較の結果、前記送信されてきた通信必要情報と前記生成した通信必要情報とが一致した場合、所定の配信情報を前記第２の通信方式を用いて前記携帯端末へ送信する配信情報送信処理とを有する通信方法。
【請求項１５】
請求項１４に記載の通信方法において、
前記携帯端末が、前記通信必要情報が前記認証装置から送信されてきた場合、該通信必要情報を受信した旨を示す設定情報受信通知を前記第１の通信方式を用いて該認証装置へ送信する設定情報受信処理と、
前記認証装置が、前記設定情報受信通知が前記携帯端末から送信されてきた場合、前記第１の通信方式を用いた接続の終了を要求する第１通信終了要求を前記第１の通信方式を用いて該携帯端末へ送信する終了処理と、
前記携帯端末が、前記第１通信終了要求が前記認証装置から送信されてきた場合、第１の通信方式を用いた前記認証装置との接続を切断する切断処理とを有することを特徴とする通信方法。
【請求項１６】
請求項１５に記載の通信方法において、
前記認証装置が、前記通信必要情報として、前記認証装置を識別するための認証装置識別情報を前記第１の通信方式を用いて前記携帯端末へ送信する処理と、
前記携帯端末が、前記切断処理にて前記第１の通信方式を用いた接続を切断した後、当該携帯端末から所定の距離以内に存在する認証装置から認証装置識別情報を前記第２の通信方式を用いて読出す装置情報読出処理とを有し、
前記通信接続処理では、前記携帯端末は、前記装置情報読出処理にて読出した認証装置識別情報のうち前記認証装置から送信されてきた認証装置識別情報と一致する認証装置識別情報を指定して前記開始要求信号を送信することを特徴とする通信方法。
【請求項１７】
請求項１６に記載の通信方法において、
前記識別情報生成処理では、前記認証装置が、前記第１の通信方式を用いて前記携帯端末を検出するごとに互いに異なる前記通信必要情報を前記携帯端末へ送信することを特徴とする通信方法。
【請求項１８】
請求項１４乃至１７のいずれか１項に記載の通信方法において、
前記携帯端末が、前記第２の通信方式を用いて前記認証装置と接続した旨を外部へ通知する通知処理をさらに有することを特徴とする通信方法。
【請求項１９】
ＲＦＩＤ（Radio Frequency IDentification）による第１の通信方式を用いて認証装置と通信が可能であり、かつＢｌｕｅｔｏｏｔｈ（登録商標）による第２の通信方式を用いて認証装置と通信が可能である、携帯端末に、
前記第２の通信方式を用いた通信に必要な通信必要情報が前記認証装置から送信されてきた後、該通信必要情報と、前記第２の通信方式を用いた通信の開始を要求する開始要求信号とを、前記第２の通信方式を用いて前記認証装置へ送信する通信接続手順を実行させるプログラム。
【請求項２０】
請求項１９に記載のプログラムにおいて、
前記通信必要情報が前記認証装置から送信されてきた場合、該通信必要情報を受信した旨を示す設定情報受信通知を前記第１の通信方式を用いて該認証装置へ送信する設定情報受信手順と、
前記第１の通信方式を用いた接続の終了を要求する第１通信終了要求が前記認証装置から送信されてきた場合、該第１の通信を用いた前記認証装置との接続を切断する切断手順とを前記端末に実行させることを特徴とするプログラム。
【請求項２１】
請求項２０に記載のプログラムにおいて、
前記切断手順にて前記第１の通信方式を用いた接続を切断した後、当該携帯端末から所定の距離以内に存在する認証装置から認証装置識別情報を前記第２の通信方式を用いて読出す装置情報読出手順を前記携帯端末に実行させ、
前記通信接続手順では、前記装置情報読出手順にて読出した認証装置識別情報のうち前記認証装置から送信されてきた認証装置識別情報と一致する認証装置識別情報を指定して前記開始要求信号を送信することを特徴とするプログラム。
【請求項２２】
請求項１９乃至２１のいずれか１項に記載のプログラムにおいて、
前記第２の通信方式を用いて前記認証装置と接続した旨を外部へ通知する通知手順を前記携帯端末に実行させることを特徴とするプログラム。
【請求項２３】
ＲＦＩＤ（Radio Frequency IDentification）による第１の通信方式を用いて携帯端末と通信が可能であり、かつＢｌｕｅｔｏｏｔｈ（登録商標）による第２の通信方式を用いて該携帯端末と通信が可能である、認証装置に、
前記第１の通信方式を用いて前記携帯端末を検出した場合、前記第２の通信方式を用いた通信に必要な通信必要情報を生成する識別情報生成手順と、
前記生成した通信必要情報を前記第１の通信方式を用いて該携帯端末へ送信する識別情報送信手順と、
前記第２の通信方式を用いた通信の開始を要求する開始要求信号と前記通信必要情報とが前記携帯端末から送信されてきた場合、該送信されてきた通信必要情報と、前記識別情報生成手順にて生成した通信必要情報とを比較する比較手順と、
前記比較の結果、前記送信されてきた通信必要情報と前記生成した通信必要情報とが一致した場合、所定の配信情報を前記第２の通信方式を用いて前記携帯端末へ送信する配信情報送信手順とを実行させるプログラム。
【請求項２４】
請求項２３に記載のプログラムにおいて、
前記通信必要情報を受信した旨を示す設定情報受信通知が前記携帯端末から送信されてきた場合、前記第１の通信方式を用いた接続の終了を要求する終了要求信号を、前記第１の通信方式を用いて該携帯端末へ送信する終了手順を前記認証装置に実行させることを特徴とするプログラム。
【請求項２５】
請求項２４に記載のプログラムにおいて、
前記識別情報送信手順では、当該認証装置を識別するために該認証装置にあらかじめ付与された認証装置識別情報を、前記通信必要情報として、前記第１の通信方式を用いて前記携帯端末へ送信することを特徴とするプログラム。
【請求項２６】
請求項２５に記載のプログラムにおいて、
前記識別情報生成手順では、前記第１の通信方式を用いて前記携帯端末を検出するごとに互いに異なる前記通信必要情報を生成することを特徴とするプログラム。
【発明の詳細な説明】
【技術分野】
【０００１】
本発明は、通信システム、携帯端末、認証装置、通信方法およびプログラムに関する。
【背景技術】
【０００２】
近年、装置間の距離が数百ｍ程度の近距離で基地局などの中継装置を介することなく当該装置間で通信を行うことができる近距離無線通信が普及してきている。
【０００３】
上述した近距離無線通信によれば、装置同士が、ネットワークを介することなしに１対１で直接通信を行うことができるといった利点がある。
【０００４】
近距離無線通信の通信方式の１つには、ＲＦＩＤ（Radio Frequency IDentification）による通信がある（例えば、非特許文献１参照。）。
【０００５】
ＲＦＩＤによる通信の特徴としては、複数の装置間で通信を開始する際に、利用者が当該装置へ情報を入力することなく通信が可能であることが挙げられる。また、ＲＦＩＤによる通信の特徴としては、データの最大送信速度が２００ｋｂｐｓ程度であることや、通信可能な範囲が７０ｃｍ程度であることが挙げられる。
【０００６】
また、近距離無線通信の他の通信方式には、Ｂｌｕｅｔｏｏｔｈ（登録商標）による通信がある（例えば、非特許文献２参照。）。
【０００７】
Ｂｌｕｅｔｏｏｔｈ（登録商標）による通信の特徴としては、データの最大送信速度（例えば、Ｂｌｕｅｔｏｏｔｈ２．１では約２．１Ｍｂｐｓ）がＲＦＩＤよりも速いこと、ＲＦＩＤよりも通信可能な範囲が広いこと（１０ｍ〜１００ｍ程度）が挙げられる。また、Ｂｌｕｅｔｏｏｔｈ（登録商標）による通信の特徴としては、複数の装置間で通信を開始する際に、初期設定が必要であることなどが挙げられる。
【０００８】
なお、Ｂｌｕｅｔｏｏｔｈによる通信においては、Ｂｌｕｅｔｏｏｔｈの通信手段をそれぞれ備えた装置同士の間でペアリングという接続状態にして、通信を行う。
【非特許文献１】“無線ＩＣタグのすべて”，ＲＦＩＤテクノロジ編集部／編，２７ページ，日経ＢＰ社
【非特許文献２】松本  充司、“室内のワイヤレス通信（その２）  ３． 電波メディアによる室内通信”、［online］、２００２年９月１５日、光無線通信システム推進協議会、［平成２０年１０月３１日検索］、インターネット＜http://www.icsa.gr.jp/topics/2002/index_02022-2.htm＞
【発明の開示】
【発明が解決しようとする課題】
【０００９】
上述したＲＦＩＤの通信によりデータ容量が大きな画像データなどの配信情報を送信する場合、ＲＦＩＤのデータ送信速度を考えると、当該配信情報の送信が完了するまでに長い時間がかかってしまうという問題点がある。
【００１０】
また、ＲＦＩＤによる通信を行う一般的な技術においては、通信可能な範囲内に通信を行う複数の装置すべてを設置する必要がある。つまり、複数の装置間でＲＦＩＤを用いて配信情報の送受信を行う場合、各装置を設置する場所が限られてしまうという問題点もある。
【００１１】
また、Ｂｌｕｅｔｏｏｔｈにより通信を開始するための装置の初期設定として、Ｂｌｕｅｔｏｏｔｈの起動の指示と、通信先として指定するデバイスアドレスを選択する指示と、Ｂｌｕｅｔｏｏｔｈパスキーと呼ばれる認証用の暗証番号とを、利用者が装置に入力しなければならない。そのため、Ｂｌｕｅｔｏｏｔｈによる通信を行う場合、利用者に対する負担が大きくなってしまうという問題点がある。
【００１２】
本発明は、上述した課題を解決する通信システム、携帯端末、認証装置、通信方法およびプログラムを提供することを目的とする。
【課題を解決するための手段】
【００１３】
上記課題を解決するために、本発明の通信システムは、ＲＦＩＤ（Radio Frequency IDentification）による第１の通信方式を用いて通信が可能であり、かつＢｌｕｅｔｏｏｔｈ（登録商標）による第２の通信方式を用いて通信が可能である、認証装置と携帯端末とから構成される通信システムにおいて、前記認証装置は、前記第１の通信方式を用いて前記携帯端末を検出した場合、前記第２の通信方式を用いた通信に必要な通信必要情報を生成して前記第１の通信方式を用いて該携帯端末へ送信し、前記携帯端末から前記第２の通信方式を用いた通信の開始を要求する開始要求信号と前記通信必要情報とが送信されてきた場合、該送信されてきた通信必要情報と前記生成した通信必要情報とが一致したら、前記第２の通信方式を用いて所定の配信情報を前記携帯端末へ送信し、前記携帯端末は、前記認証装置から前記通信必要情報が送信されてきた後、該通信必要情報と前記開始要求信号とを前記第２の通信方式を用いて前記認証装置へ送信する。
【００１４】
上記課題を解決するために、本発明の携帯端末は、ＲＦＩＤ（Radio Frequency IDentification）による第１の通信方式を用いて認証装置と通信が可能であり、かつＢｌｕｅｔｏｏｔｈ（登録商標）による第２の通信方式を用いて認証装置と通信が可能である、携帯端末であって、前記第２の通信方式を用いた通信に必要な通信必要情報が前記認証装置から送信されてきた後、該通信必要情報と、前記第２の通信方式を用いた通信の開始を要求する開始要求信号とを、前記第２の通信方式を用いて前記認証装置へ送信する通信接続部を有する。
【００１５】
上記課題を解決するために、本発明の認証装置は、ＲＦＩＤ（Radio Frequency IDentification）による第１の通信方式を用いて携帯端末と通信が可能であり、かつＢｌｕｅｔｏｏｔｈ（登録商標）による第２の通信方式を用いて該携帯端末と通信が可能である、認証装置であって、前記第１の通信方式を用いて前記携帯端末を検出した場合、前記第２の通信方式を用いた通信に必要な通信必要情報を生成する識別情報生成部と、前記生成した通信必要情報を前記第１の通信方式を用いて該携帯端末へ送信する識別情報送信部と、前記第２の通信方式を用いた通信の開始を要求する開始要求信号と前記通信必要情報とが前記携帯端末から送信されてきた場合、該送信されてきた通信必要情報と、前記識別情報生成部が生成した通信必要情報とを比較する比較部と、前記比較の結果、前記送信されてきた通信必要情報と前記生成した通信必要情報とが一致した場合、所定の配信情報を前記第２の通信方式を用いて前記携帯端末へ送信する配信情報送信部とを有する。
【００１６】
上記課題を解決するために、本発明の通信方法は、ＲＦＩＤ（Radio Frequency IDentification）による第１の通信方式を用いて通信が可能であり、かつＢｌｕｅｔｏｏｔｈ（登録商標）による第２の通信方式を用いて通信が可能である、認証装置と携帯端末との間で通信を行う通信方法であって、前記認証装置が、前記第１の通信方式を用いて前記携帯端末を検出した場合、前記第２の通信方式を用いた通信に必要な通信必要情報を生成する識別情報生成処理と、前記認証装置が、前記生成した通信必要情報を前記第１の通信方式を用いて該携帯端末へ送信する識別情報送信処理と、前記携帯端末が、前記認証装置から前記通信必要情報が送信されてきた後、該通信必要情報と、前記第２の通信方式を用いた通信の開始を要求する開始要求信号とを、前記第２の通信方式を用いて前記認証装置へ送信する通信接続処理と、前記認証装置が、前記開始要求信号と前記通信必要情報とが前記携帯端末から送信されてきた場合、該送信されてきた通信必要情報と、前記識別情報生成処理にて生成した通信必要情報とを比較する比較処理と、前記認証装置が、前記比較の結果、前記送信されてきた通信必要情報と前記生成した通信必要情報とが一致した場合、所定の配信情報を前記第２の通信方式を用いて前記携帯端末へ送信する配信情報送信処理とを有する。
【００１７】
また、コンピュータに実行させるプログラムであって、ＲＦＩＤ（Radio Frequency IDentification）による第１の通信方式を用いて認証装置と通信が可能であり、かつＢｌｕｅｔｏｏｔｈ（登録商標）による第２の通信方式を用いて認証装置と通信が可能である、携帯端末に、前記第２の通信方式を用いた通信に必要な通信必要情報が前記認証装置から送信されてきた後、該通信必要情報と、前記第２の通信方式を用いた通信の開始を要求する開始要求信号とを、前記第２の通信方式を用いて前記認証装置へ送信する通信接続手順を実行させる。
【００１８】
また、コンピュータに実行させるプログラムであって、ＲＦＩＤ（Radio Frequency IDentification）による第１の通信方式を用いて携帯端末と通信が可能であり、かつＢｌｕｅｔｏｏｔｈ（登録商標）による第２の通信方式を用いて該携帯端末と通信が可能である、認証装置に、前記第１の通信方式を用いて前記携帯端末を検出した場合、前記第２の通信方式を用いた通信に必要な通信必要情報を生成する識別情報生成手順と、前記生成した通信必要情報を前記第１の通信方式を用いて該携帯端末へ送信する識別情報送信手順と、前記第２の通信方式を用いた通信の開始を要求する開始要求信号と前記通信必要情報とが前記携帯端末から送信されてきた場合、該送信されてきた通信必要情報と、前記識別情報生成手順にて生成した通信必要情報とを比較する比較手順と、前記比較の結果、前記送信されてきた通信必要情報と前記生成した通信必要情報とが一致した場合、所定の配信情報を前記第２の通信方式を用いて前記携帯端末へ送信する配信情報送信手順とを実行させる。
【発明の効果】
【００１９】
本発明によれば、ＲＦＩＤによる第１の通信方式を用いて通信可能であり、かつＢｌｕｅｔｏｏｔｈ（登録商標）による第２の通信方式を用いて通信可能である、携帯端末と認証装置とから構成される通信システムにおいて、認証装置は、第１の通信方式を用いて携帯端末を検出した場合、第２の通信方式を用いた通信に必要な通信必要情報を生成して第１の通信方式を用いて該携帯端末へ送信する。すると、携帯端末は、認証装置から通信必要情報が送信されてきた後、通信必要情報と、第２の通信方式を用いた通信の開始を要求する開始要求信号とを第２の通信方式を用いて認証装置へ送信する。認証装置は、携帯端末から開始要求信号と通信必要情報とが送信されてきた場合、該送信されてきた通信必要情報と生成した通信必要情報とが一致したら、第２の通信方式を用いて所定の配信情報を携帯端末へ送信する。
【００２０】
このような構成としたため、近距離無線通信を用いて、大容量のデータ通信を容易に行うことができる。
【発明を実施するための最良の形態】
【００２１】
以下、本発明の実施形態に従った通信システム（携帯端末、認証装置、通信方法およびプログラムを含む）を説明する。
【００２２】
まず、通信システムの全体構成を説明する。
【００２３】
図1に示すように、本通信システムは、携帯電話機１と、認証装置２とを具備している。携帯電話機１および認証装置２それぞれの台数は、「１」に限らず複数でもよい。
【００２４】
なお、この説明例では、本発明の「携帯端末」が携帯電話機１である場合を例に挙げて説明するが、本発明の携帯端末は、例えば、ＰＤＡ（Personal Digital Assistants）などの任意の携帯型電子装置であってもよい。
【００２５】
携帯電話機１と認証装置２とは、「第１の通信方式」および「第２の通信方式」それぞれにより任意のデータの送受信を行うことが可能である。なお、携帯電話機１は、認証装置２の第２通信部２３と接続することにより「第２の通信」を行う。
【００２６】
この説明例では、「第１の通信方式」が、ＲＦＩＤによる第１の通信である場合を例に挙げて説明する。また、この説明例では、「第２の通信方式」が、Ｂｌｕｅｔｏｏｔｈ（登録商標）による第２の通信である場合を例に挙げて説明する。
【００２７】
ここで、「第１の通信」および「第２の通信」は、基地局などの通信を仲介する装置を介することなしに携帯電話機１と認証装置２とが互いに直接通信するものである。
【００２８】
認証装置２の設置場所は任意でよいが、この説明例では、商品を販売する一般的な販売店（例えば、コンビニエンスストアなど）に設置されている。
【００２９】
また、この説明例では、利用者が販売店にて商品を購入する場合、携帯電話機１と認証装置２とは、ＲＦＩＤによる第１の通信を介して該商品の代金の支払処理を行う。
【００３０】
そして、この例では、支払処理が完了した場合、認証装置２は、「所定の配信情報」として、販売店から利用者向けに配信する様々な商品の広告情報をＢｌｕｅｔｏｏｔｈによる第２の通信により携帯電話機１へ送信する。なお、Ｂｌｕｅｔｏｏｔｈによる第２の通信を用いて送受信するデータは任意でよく、商品の広告情報に限らず、経済的価値を有するクーポン券などの情報または電子チケットなどでもよい。
【００３１】
また、携帯電話機１は、認証装置２と第２の通信によって接続している間、該携帯電話機１の利用者に該接続中の旨を通知する。
【００３２】
つぎに、携帯電話機１が有する構成について詳細に説明する。
【００３３】
図２に示すように、携帯電話機１は、制御部１１と、第１通信部１２と、第２通信部１３と、記憶部１４と、入力部１５と、通知部１６と、バス１７とを有する。
【００３４】
制御部１１は、携帯電話機１全体の動作を制御する。
【００３５】
また、この説明例においては、制御部１１は、認証装置２と通信を行う際の各動作を制御する通信制御部１１Ａと、当該通信以外に関する各動作を制御する他動作制御部１１Ｂと、デコーダ／エンコーダ１１Ｃとを有する。
【００３６】
なお、この説明例においては、通信制御部１１Ａおよび他動作制御部１１Ｂそれぞれは、各動作の制御を行う際、第１通信部１２、第２通信部１３、記憶部１４、入力部１５および通知部１６との間で、バス１７を介して当該各動作の制御を行うための信号を入出力する。
【００３７】
また、図３に示すように、通信制御部１１Ａは、第２通信起動部１１１と、設定情報受信部１１２と、第２通信接続部１１３とを有している。
【００３８】
第２通信起動部１１１は、第１の通信による接続を要求する第１通信接続要求が第１通信部１２から出力されてきた場合、第１通信接続要求に対する応答である第１通信接続応答を第１通信部１２へ出力する。
【００３９】
第２通信起動部１１１は、第２通信開始要求が第１通信部１２から出力されてきた場合、記憶部１４に記憶されている第２通信アプリケーションＡＰＬを読出して起動する。
【００４０】
ここで、「第２通信開始要求」とは、第２の通信の開始を要求する信号である。
【００４１】
また、「第２通信アプリケーションＡＰＬ」は、Ｂｌｕｅｔｏｏｔｈによる第２の通信により認証装置２とペアリングするための設定用アプリケーションである。
【００４２】
また、第２通信起動部１１１は、第２通信アプリケーションＡＰＬの起動が完了した場合、設定開始通知を第１通信部１２へ出力する。
【００４３】
設定情報受信部１１２は、第１通信部１２から出力されてきた第２通信設定情報ＣＦＧを、記憶部１４へ書込む。
【００４４】
該書込の後、設定情報受信部１１２は、第２通信設定情報ＣＦＧを受信した旨を示す「設定情報受信通知」を第１通信部１２へ出力する。
【００４５】
第２通信接続部１１３は、「切断部」である。
【００４６】
第２通信接続部１１３は、第１通信部１２から「第１通信終了要求」が出力されてきた場合、第１の通信の切断を指示するための第１通信切断指示を第１通信部１２へ出力する。
【００４７】
ここで、「第１通信終了要求」は、第１の通信の終了を要求するための「終了要求信号」である。
【００４８】
また、第２通信接続部１１３は、第１通信終了要求が第１通信部１２から出力されてきた場合、記憶部１４内の第２通信設定情報ＣＦＧを用いて、Ｂｌｕｅｔｏｏｔｈによる第２の通信により接続するための設定処理を実行する「通信接続部」である。
【００４９】
第２通信設定情報ＣＦＧは、「通信必要情報」である。
【００５０】
この説明例では、第２通信設定情報ＣＦＧは、認証装置２を識別するためのデバイスドライバ（「認証装置識別情報」）と、携帯電話機１の利用者を識別するためのＢｌｕｅｔｏｏｔｈパスキー（「利用者識別情報」）とを含んでいる。
【００５１】
Ｂｌｕｅｔｏｏｔｈによる第２の通信により接続するための設定処理において、第２通信接続部１１３は、まず、携帯電話機１を基準とする所定範囲（携帯電話機１から所定の距離以内）に存在する認証装置を第２通信部１３を用いて探索する。
【００５２】
当該探索により、第２通信接続部１１３は、所定範囲に存在する認証装置それぞれを固有に識別するためのデバイスアドレスを検出する（読出す）「装置情報読出部」である。
【００５３】
続いて、第２通信接続部１１３は、該探索により検出したデバイスアドレスのうちで認証装置２から送信されてきた認証装置識別情報が付与された認証装置を指定して、第２の通信による接続を要求するための「第２通信接続要求」を第２通信部１３へ出力する。
【００５４】
ここで、「第２通信接続要求」は、「開始要求信号」である。
【００５５】
なお、第２通信接続部１１３は、第２通信接続要求とともに、利用者識別情報（Ｂｌｕｅｔｏｏｔｈパスキー）を第２通信部１３へ出力する。ここで、第２通信接続部１１３は、Ｂｌｕｅｔｏｏｔｈパスキーを記憶部１４から読出す。そのため、第２の通信により接続するための設定において、Ｂｌｕｅｔｏｏｔｈパスキーの入力を入力部１５が携帯電話機１の利用者から受付けることは不要である。
【００５６】
また、第２通信接続部１１３は、第２の通信の終了を指示するための「第２通信終了指示」が入力部１５から出力されてきた場合、第２通信部１３と認証装置２との間の第２の通信を切断させる「第２通信切断指示」を第２通信部１３へ出力する。
【００５７】
図２に示した第１通信部１２は、認証装置２との間でＲＦＩＤによる第１の通信を行う。
【００５８】
なお、この説明例では、第１通信部１２は、ＲＦＩＤタグ（ＩＣ（Integrated Circuit）タグ）を内蔵している。そして、当該ＲＦＩＤタグが有するメモリは、バス１７と接続されている。
【００５９】
また、第１通信部１２は、認証装置２から送信されてきた第１通信接続要求を受信して第２通信起動部１１１へ出力する。
【００６０】
また、第２通信起動部１１１は、第２通信起動部１１１から出力されてきた第１通信接続応答を認証装置２へ送信する。
【００６１】
また、第１通信部１２は、認証装置２から送信されてきた第２通信開始要求を受信して第２通信起動部１１１へ出力する。
【００６２】
また、第１通信部１２は、第２通信起動部１１１から出力されてきた設定開始通知を認証装置２へ送信する。
【００６３】
また、第１通信部１２は、認証装置２から送信されてきた第２通信設定情報ＣＦＧを受信して設定情報受信部１１２へ出力する。
【００６４】
また、第１通信部１２は、設定情報受信部１１２から出力されてきた設定情報受信通知を認証装置２へ送信する。
【００６５】
また、第１通信部１２は、認証装置２から送信されてきた第１通信終了要求を受信して第２通信接続部１１３へ出力する。
【００６６】
また、第１通信部１２は、第２通信接続部１１３から第１通信切断指示が出力されてきた場合、認証装置２との間の第１の通信を切断する。
【００６７】
第２通信部１３は、認証装置２との間でＢｌｕｅｔｏｏｔｈによる第２の通信を行う。なお、第２通信部１３は、第１の通信を行った後、認証装置２との間で相互に初期設定を行った状態（いわゆるペアリング）となる。
【００６８】
また、第２通信部１３は、第２通信接続部１１３から出力されてきた第２通信接続要求を、認証装置識別情報を指定して、認証装置２へ送信する。
【００６９】
なお、第２通信部１３は、第２通信接続要求とともに、第２通信接続部１１３から出力されてきた利用者識別情報（Ｂｌｕｅｔｏｏｔｈパスキー）を認証装置２へ送信する。
【００７０】
また、第２通信部１３は、第２通信切断指示が第２通信接続部１１３から出力されてきた場合、認証装置２との間の第２の通信を切断する。
【００７１】
記憶部１４は、任意のデータを記憶する。
【００７２】
例えば、記憶部１４は、第２通信アプリケーションＡＰＬをあらかじめ記憶している。
【００７３】
また、記憶部１４は、設定情報受信部１１２によって書込まれた第２通信設定情報ＣＦＧを記憶する。
【００７４】
入力部１５は、利用者が行う操作に応じたデータの入力を受付け、該入力に応じた信号を制御部１１へ出力する。
【００７５】
また、入力部１５は、第２の通信を終了する指示の入力を利用者から受付けた場合、該終了を指示する「第２通信終了指示」を第２通信制御部１１３へ出力する。
【００７６】
通知部１６は、携帯電話機１が認証装置２と第２の通信により接続中である旨を利用者に通知する。
【００７７】
なお、通知部１６が第２の通信により接続中である旨を利用者に通知する方法は任意でよい。例えば、通知部１６は、表示画面に第２の通信により接続中である旨を表示してもよい。また、通知部１６は、ＬＥＤなどの任意の光源から出力した光により、第２の通信により接続中である旨を通知してもよい。また、通知部１６は、スピーカなどにより出力した音により、第２の通信により接続中である旨を通知してもよい。また、通知部１６は、バイブレータにより発生した振動により、第２の通信により接続中である旨を通知してもよい。
【００７８】
バス１７は、上述した各構成要素を相互に接続する。なお、図２には、各構成要素がバス１７を介して互いに接続された構成を例に挙げて説明したが、必要に応じて各構成要素間が互いに個別線で接続されているものであってもよい。
【００７９】
つぎに、認証装置２が有する構成について詳細に説明する。
【００８０】
図４に示すように、認証装置２は、制御部２１と、第１通信部２２と、第２通信部２３と、記憶部２４と、入力部２５と、バス２６とを有する。
【００８１】
制御部２１は、認証装置２全体の動作を制御する。
【００８２】
また、この説明例においては、制御部２１は、携帯電話機１と通信を行う際の各動作を制御する通信制御部２１Ａと、当該通信以外に関する各動作を制御する他動作制御部２１Ｂと、デコーダ／エンコーダ２１Ｃとを有する。
【００８３】
なお、この説明例においては、通信制御部２１Ａおよび他動作制御部２１Ｂそれぞれは、各動作の制御を行う際、第１通信部２２、第２通信部２３、記憶部２４、入力部２５および通知部２６との間で、バス２７を介して当該各動作の制御を行うための信号を入出力する。
【００８４】
また、図５に示すように、通信制御部２１Ａは、第２通信開始要求部２１１と、識別情報生成部２１２と、第１通信終了部２１３と、認証部２１４と、配信情報送信部２１５とを有する。
【００８５】
第２通信開始要求部２１１は、携帯電話機１のＲＦＩＤタグ（第１通信部１２）が第１の通信が可能な範囲に存在する旨が第１通信部２２（ＲＦＩＤリーダ／ライタ）から通知された場合、第１通信接続要求を第１通信部２２へ出力する。
【００８６】
第２通信開始要求部２１１は、第１通信接続応答が第１通信部２２から出力されてきた場合（つまり、第１の通信により携帯電話機１と認証装置２とが接続された場合）、Ｂｌｕｅｔｏｏｔｈによる第２の通信の開始を要求するための「第２通信開始要求」を第１通信部２２へ出力する。
【００８７】
ここで、「第２通信開始要求」が指示する内容については特に限定しないが、この説明例では、Ｂｌｕｅｔｏｏｔｈによる第２通信を行うための第２通信アプリケーションＡＰＬの起動を要求することを指示する場合を例に挙げて説明する。
【００８８】
識別情報生成部２１２は、設定開始通知が第１通信部２２から出力されてきた場合、「利用者識別情報」を生成する。この説明例では、利用者識別情報は、Ｂｌｕｅｔｏｏｔｈパスキーである。
【００８９】
なお、利用者識別情報の生成方法は任意でよく、例えば、識別情報生成部２１２は、設定開始通知が第１通信部２２から出力されてきたごとに異なる情報をＢｌｕｅｔｏｏｔｈパスキーが示すよう、ランダムにＢｌｕｅｔｏｏｔｈパスキーを生成してもよい。
【００９０】
また、識別情報生成部２１２は、生成した利用者識別情報（この例では、Ｂｌｕｅｔｏｏｔｈパスキー）と、認証装置識別情報（この例では、デバイスアドレス）とを、「第２通信設定情報ＣＦＧ」として第１通信部２２へ出力する「識別情報送信部」である。
【００９１】
第１通信終了部２１３は、第２通信設定情報ＣＦＧを受信した旨を示す設定情報受信通知が第１通信部２２から出力されてきた場合、第１の通信による携帯電話機１との接続の切断を指示する第１通信切断指示を第１通信部２２へ出力する「終了部」である。
【００９２】
また、第１通信終了部２１３は、設定情報受信通知が第１通信部２２から出力されてきた場合、第１の通信による接続の終了を要求するための第１通信終了要求を第１通信部２２へ出力する。
【００９３】
認証部２１４は、第２通信接続要求と利用者識別情報（この例では、Ｂｌｕｅｔｏｏｔｈパスキー）とが第２通信部２３から出力されてきた場合、該利用者識別情報を用いて、携帯電話機１の利用者の認証を行う。
【００９４】
そして、認証部２１４は、認証に成功した場合、携帯電話機１とのペアリングを許可するための「第２通信許可通知」を第２通信部２３へ出力する。
【００９５】
なお、認証部２１４は、第２通信部２３から出力されてきた利用者識別情報と、識別情報生成部２１２が生成した利用者識別情報とを比較する「比較部」である。
【００９６】
ここで、認証が成功した場合とは、当該比較の結果、携帯電話機１から第２通信部２３が受信した利用者識別情報と、記憶部２４内の利用者識別情報とが一致した場合である。
【００９７】
また、認証部２１４は、認証に成功した場合、該成功の旨を配信情報送信部２１５へ通知する。
【００９８】
配信情報送信部２１５は、認証に成功した旨が認証部２１４から通知された場合、配信情報ＤＳＴ（この例では、広告情報）を記憶部１４から読出して第２通信部２３へ出力する。
【００９９】
図４に示した第１通信部２２は、携帯電話機１との間でＲＦＩＤによる第１の通信を行う。
【０１００】
なお、この説明例では、第１通信部２２は、携帯電話機１が有するＲＦＩＤタグから情報を読取ったり、該ＲＦＩＤタグへ情報を書込んだりするためのＲＦＩＤリーダ／ライタを有している。
【０１０１】
また、第１通信部２２（ＲＦＩＤリーダ／ライタ）は、携帯電話機１が有するＲＦＩＤタグを検知した場合、携帯電話機１のＲＦＩＤタグ（第１通信部１２）が第１の通信が可能な範囲に存在する旨を第２通信開始要求部２１１へ通知する。
【０１０２】
また、第１通信部２２は、第２通信開始要求部２１１から出力されてきた第１通信接続要求を携帯電話機１へ送信する。
【０１０３】
また、第１通信部２２は、携帯電話機１から送信されてきた第１通信接続応答を受信して第２通信開始要求部２１１へ出力する。
【０１０４】
また、第１通信部２２は、商品の購入についての代金の支払を行うための電子マネー情報を、携帯電話機１との間で第１の通信により送受信する。
【０１０５】
また、第１通信部２２は、第２通信開始要求部２１１から出力されてきた第２通信開始要求を携帯電話機１へ送信する。
【０１０６】
また、第１通信部２２は、携帯電話機１から送信されてきた設定開始通知を識別情報生成部２１２へ出力する。
【０１０７】
また、第１通信部２２は、識別情報生成部２１２から出力されてきた第２通信設定情報ＣＦＧ（この例では、デバイスアドレスやＢｌｕｅｔｏｏｔｈパスキーなど）を携帯電話機１へ送信する。
【０１０８】
また、第１通信部２２は、携帯電話機１から送信されてきた設定情報受信通知を第１通信終了部２１３へ出力する。
【０１０９】
また、第１通信部２２は、第１通信終了部２１３から出力されてきた第１通信終了要求を携帯電話機１へ送信する。
【０１１０】
なお、第１通信部２２は、第１通信終了部２１３から第１通信切断指示が出力されてきた場合、携帯電話機１との間の第１の通信を切断する。
【０１１１】
第２通信部２３は、携帯電話機１との間でＢｌｕｅｔｏｏｔｈによる第２の通信を行う。
【０１１２】
なお、第２通信部２３は、第２の通信を行った場合、携帯電話機１との間で相互に接続設定を行った状態（いわゆるペアリング）となる。
【０１１３】
また、第２通信部２３は、携帯電話機１から送信されてきた第２通信接続要求および利用者識別情報を受信して認証部２１４へ出力する。
【０１１４】
また、第２通信部２３は、認証部２１４から出力されてきた第２通信許可通知を携帯電話機１へ送信する。そして、第２通信部２３は、第２通信許可通知が認証部２１４から出力されてきた場合、携帯電話機１とペアリング状態で接続する。
【０１１５】
また、第２通信部２３は、配信情報送信部２１５から出力されてきた配信情報ＤＳＴを携帯電話機１へ送信する。
【０１１６】
記憶部２４は、第２通信設定情報ＣＦＧを含む任意のデータをあらかじめ記憶する。
【０１１７】
入力部２５は、利用者が行う操作に応じたデータの入力を受付け、該入力に応じた信号を制御部２１へ出力する。
【０１１８】
バス２６は、上述した各構成要素を相互に接続する。なお、図４には、各構成要素がバス２６を介して互いに接続された構成を例に挙げて説明したが、必要に応じて各構成要素間が互いに個別線で接続されているものであってもよい。
【０１１９】
つぎに、上記構成を有する通信システムにおいて、携帯電話機１と認証装置２とが、利用者からの入力を伴うことなしに自動的に第２の通信により通信を開始する動作について、図６に示すシーケンス図を参照して説明する。
【０１２０】
利用者が商品を購入する際、携帯電話機１が具備するＲＦＩＤタグを販売店の認証装置２と第１の通信が可能な範囲にかざした場合、認証装置２の第１通信部２２は、該ＲＦＩＤタグを検知した旨を第２通信開始要求部２１１へ通知する。
【０１２１】
その後、ステップ３１にて、第１通信部２２は、第２通信開始要求部２１１から出力されてきた第１通信接続要求を携帯電話機１へ送信する。
【０１２２】
すると、ステップ３２にて、携帯電話機１の第２通信起動部１１１は、第１通信部１２を用いて、第１通信接続要求に対する応答である第１通信接続応答を認証装置２へ送信する。続いて、ＲＦＩＤによる第１の通信により、携帯電話機１と認証装置２との間で代金の支払処理が行われる。
【０１２３】
その後、ステップ３３にて、認証装置２の第１通信部２２は、ＲＦＩＤによる第１の通信により、第２通信開始要求を携帯電話機１へ送信する。
【０１２４】
すると、ステップ３４にて、携帯電話機１の第２通信起動部１１１は、第２通信開始要求に応じて、記憶部１４に記憶されている第２通信アプリケーションＡＰＬを読出して起動する。続いて、第２通信起動部１１１は、第１通信部１２を用いて、設定開始通知を認証装置２へ送信する。
【０１２５】
すると、認証装置２の識別情報生成部２１２は、設定開始通知に応じて、利用者識別情報（この例では、Ｂｌｕｅｔｏｏｔｈパスキー）を生成する。なお、この例では、識別情報生成部２１２は、設定開始通知が出力されてきたごとに異なる情報を示すよう、Ｂｌｕｅｔｏｏｔｈパスキーをランダムに生成する。
【０１２６】
そして、ステップ３５にて、識別情報生成部２１２は、生成した利用者識別情報と、認証装置２を固有に識別するために該認証装置２にあらかじめ付与された認証装置識別情報（例えば、デバイスアドレス）とを、「第２通信設定情報ＣＦＧ」として、第１通信部２２を用いて携帯電話機１へ送信する。
【０１２７】
すると、ステップ３６にて、携帯電話機１の設定情報受信部１１２は、第１通信部１２が認証装置２から受信して出力してきた第２通信設定情報ＣＦＧを、記憶部１４へ書込む。続いて、設定情報受信部１１２は、設定情報受信通知を、第１通信部１２を介して認証装置２へ送信する。
【０１２８】
すると、ステップ３７にて、認証装置２の第１通信終了部２１３は、第１の通信による接続の終了を要求するための第１通信終了要求を、第１通信部２２を用いて携帯電話機１へ送信する。
【０１２９】
その後、携帯電話機１の第２通信接続部１１３は、認証装置２から送信されてきた第１通信終了要求を第１通信部１２が出力してきた場合、第１の通信の切断を指示するための第１通信切断指示を第１通信部１２へ出力する。すると、ステップ３８にて、第１通信部１２は、認証装置２との間の第１の通信を切断する。
【０１３０】
また、第１通信終了要求を第１通信部１２が出力してきた場合、携帯電話機１の第２通信接続部１１３は、ステップ３９にて、記憶部１４内の第２通信設定情報ＣＦＧを用いて、Ｂｌｕｅｔｏｏｔｈによる第２の通信により接続するための設定処理を実行する。
【０１３１】
より具体的には、第２通信接続部１１３は、まず、携帯電話機１を基準とする所定範囲に存在する認証装置を、第２通信部１３を用いて探索する。当該探索により、第２通信接続部１１３は、所定範囲に存在する認証装置それぞれを固有に識別するためのデバイスアドレスを検出する。
【０１３２】
続いて、第２通信接続部１１３は、該探索により検出したデバイスアドレスのうちで認証装置２から送信されてきた認証装置識別情報（デバイスアドレス）が付与された認証装置を指定して、第２通信接続要求を、第２通信部１３を用いて認証装置２へ送信する。
【０１３３】
なお、第２通信接続部１１３は、第２通信接続要求とともに、記憶部１４に記憶されている利用者識別情報（Ｂｌｕｅｔｏｏｔｈパスキー）を、第２通信部１３を用いて認証装置２へ送信する。
【０１３４】
その後、ステップ４０にて、認証装置２の認証部２１４は、携帯電話機１から送信されてきた第２通信接続要求と利用者識別情報（この例では、Ｂｌｕｅｔｏｏｔｈパスキー）とが第２通信部２３から出力されてきた場合、該利用者識別情報を用いて、携帯電話機１の利用者の認証を行う。
【０１３５】
認証部２１４は、第２通信接続要求と利用者識別情報（この例では、Ｂｌｕｅｔｏｏｔｈパスキー）とが第２通信部２３から出力されてきた場合、該利用者識別情報を用いて、携帯電話機１の利用者の認証を行う。
【０１３６】
そして、認証部２１４は、認証に成功した場合、携帯電話機１とのペアリングを許可するための第２通信許可通知を、第２通信部２３を用いて携帯電話機１へ送信する。なお、認証が成功した場合とは、例えば、携帯電話機１から第２通信部２３が受信した利用者識別情報と、記憶部２４内の利用者識別情報とが一致した場合である。
【０１３７】
さらに、認証部２１４は、認証に成功した場合、該成功の旨を配信情報送信部２１５へ通知する。すると、ステップ４１にて、配信情報送信部２１５は、配信情報ＤＳＴ（この例では、広告情報）を記憶部１４から読出して、該配信情報ＤＳＴを第２通信部２３を用いて携帯電話機１へ送信する。
【０１３８】
なお、携帯端末１の第２通信接続部１１３は、第２の通信の終了を指示するための第２通信終了指示が入力部１５から出力されてきた場合、第２通信部１３と認証装置２との間のペアリングを解除させる信号を第２通信部１３へ出力する。すると、第２通信部１３は、認証装置２との間の第２の通信による接続を切断する。
【０１３９】
以上で、通信システムにおいて、携帯電話機１と認証装置２とが、利用者からの入力を伴うことなしに自動的に第２の通信により通信を開始する際の一連の動作が終了する。
【０１４０】
上述したように、一般的なＲＦＩＤによる第１の通信においては、携帯電話機１のＲＦＩＤタグを認証装置２のＲＦＩＤリーダ／ライタの第１の通信の範囲内に近づけるだけで情報の送受信が行われる。そのため、携帯電話機１の利用者は、入力部１５を用いた特別な入力操作を行うことなく、該携帯電話機１を用いて第１の通信により容易に認証装置２と接続することができる。
【０１４１】
しかしながら、一般的なＲＦＩＤの最大通信速度は、約２１１ｋｂｐｓ程度である。一方、一般的なＢｌｕｅｔｏｏｔｈ（例えば、Ｂｌｕｅｔｏｏｔｈ２．１）の最大通信速度は約２．１Ｍｂｐｓであり、一般的なＲＦＩＤの最大通信速度の約１０倍である。また、ＲＦＩＤによる第１の通信は、通信範囲は７０ｃｍ程度である。一方、Ｂｌｕｅｔｏｏｔｈによる第２の通信においては、その通信範囲は１０ｍ〜１００ｍ程度である。
【０１４２】
そのため、ＲＦＩＤによる第１の通信を用いて認証装置２から携帯電話機１へ配信情報ＤＳＴを送信する場合、Ｂｌｕｅｔｏｏｔｈによる第２の通信を用いた場合よりも、送信時間が長くなってしまう。さらに、携帯電話機１が、認証装置２と第１の通信が可能な範囲に存在しない場合、認証装置２から配信情報ＤＳＴを受信することができない。
【０１４３】
しかし、一般的なＢｌｕｅｔｏｏｔｈによる第２の通信のペアリング接続を行う場合、利用者は、携帯電話機１にて表示されている操作画面を介して、Ｂｌｕｅｔｏｏｔｈの起動を指示する入力と、携帯電話機１と接続可能な通信先の探索により該通信先に付与されているデバイスアドレスの検索を指示する入力と、検索により取得したデバイスアドレスを指定して通信先に対して接続および認証を要求する指示の入力とを行わなければならない。そのため、利用者に対する入力操作の負担が大きい。なお、携帯電話機１の利用者は、販売店に設置された認証装置２のデバイスアドレスやＢｌｕｅｔｏｏｔｈパスキーをあらかじめ認識していなければならず、第２の通信により容易に接続することが困難となってしまう。
【０１４４】
一方、上述したように、本発明によれば、利用者により、携帯電話機１が認証装置２とＲＦＩＤによる第１の通信が可能な範囲に近づけられた場合、認証装置２と携帯電話機１とが協働して、利用者の操作を伴うことなしに、Ｂｌｕｅｔｏｏｔｈによる第２の通信で接続するための処理（携帯電話機１のＢｌｕｅｔｏｏｔｈの起動から認証まで）を実行する。
【０１４５】
このように、本発明では、ＲＦＩＤとＢｌｕｅｔｏｏｔｈとを組合わせることにより、Ｂｌｕｅｔｏｏｔｈの欠点である接続に必要な設定処理をＲＦＩＤによる第１の通信を用いて、利用者の入力操作を伴うことなしに自動的に行う。そのため、利用者が用いる携帯電話機１と認証装置２とを第２の通信により接続する場合、該接続のためのデータの入力が不要となり、さらに、利用者が、認証装置２のデバイスアドレスやＢｌｕｅｔｏｏｔｈパスキーをあらかじめ認識しておかなくてもよくなる。
【０１４６】
そして、携帯電話機１と認証装置２との間の配信情報ＤＳＴの送受信については、ＲＦＩＤよりも通信速度が高速でかつ通信範囲も広いＢｌｕｅｔｏｏｔｈによる第２の通信を用いて行うことが可能となる。
【０１４７】
なお、Ｂｌｕｅｔｏｏｔｈによる第２の通信の初期設定を、利用者からの入力を受付けながら行う方法では、利用者に対する負担が大きいため、販売店からの広告情報を利用者に告知したい場合にも、多数の利用者の各携帯電話機１へ配信情報ＤＳＴを送信できず広告情報が行き渡らない可能性が高い。しかし、実施形態１の例では、利用者の携帯電話機１は、商品の購入時における支払と同時に広告情報を受信する。そのため、配信情報ＤＳＴを容易に送信することができ、販売店にとっても重要な広告手段となる。また、利用者も、携帯電話機１において特別な入力操作を行うことなく、経済的な価値を有する特典情報（例えば、クーポン情報など）などを認証装置２から受信することができる。
【０１４８】
また、Ｂｌｕｅｔｏｏｔｈにより通信する一般的な技術においては、ペアリング状態で通信先と接続するための処理を実行した場合、利用者が用いる携帯端末にて、該接続に用いた設定情報（例えば、デバイスアドレスやＢｌｕｅｔｏｏｔｈパスキーなど）を記憶する。そして、以前に接続した通信先と再接続する場合、利用者の携帯端末は、記憶している設定情報を用いて該再接続を行う。そのため、再接続する場合、Ｂｌｕｅｔｏｏｔｈパスキーの入力を利用者から受付けることは不要である。しかしながら、以前に接続した通信先を含む複数の通信先が携帯端末の周囲に存在する場合、該携帯端末は、以前に接続した通信先のデバイスアドレスを指定する入力を利用者から受付けた上で、最接続を行う。つまり、このような場合、利用者による入力操作を行わなければ、以前に接続した通信先と再接続することができないという問題点がある。
【０１４９】
しかしながら、本発明によれば、認証装置２は、ＲＦＩＤによる第１の通信により、Ｂｌｕｅｔｏｏｔｈによる第２の通信を行う場合に当該認証装置２を識別するためのデバイスアドレス（認証装置識別情報）を携帯電話機１へ送信する。そのため、携帯端末の周囲に当該携帯端末と通信可能な装置が複数存在している場合でも、当該デバイスアドレスと一致する装置を探索および指定して第２通信接続要求を送信することにより、認証装置２を自動的に選択して接続することが可能となる。
【０１５０】
また、一般的なＢｌｕｅｔｏｏｔｈによる第２の通信においては、初期設定の際、Ｂｌｕｅｔｏｏｔｈパスキーとして、固定されたキーが発行される。そして、当該固定されたキーが、Ｂｌｕｅｔｏｏｔｈによる第２の通信で接続するごとに繰返し使用される。
【０１５１】
しかしながら、実施形態１によれば、認証装置２の識別情報生成部２１２は、設定開始通知が第１通信部２２から出力されてきたごとに異なる情報をＢｌｕｅｔｏｏｔｈパスキーが示すよう、ランダムにＢｌｕｅｔｏｏｔｈパスキーを生成する。なお、認証装置２は、当該ＢｌｕｅｔｏｏｔｈパスキーをＲＦＩＤによる第１の通信により携帯電話機１へ送信する。ここで、ＲＦＩＤによる第１の通信は微弱な電波による通信であり、通信範囲も７０ｃｍ程度である。
【０１５２】
そのため、認証装置２から携帯電話機１へＢｌｕｅｔｏｏｔｈパスキーを送信している間に、該Ｂｌｕｅｔｏｏｔｈパスキーが不正な第３者により盗聴される可能性を低減することができる。さらには、予期しない利用者の介入を防止でき、セキュリティの高い認証が可能となる。
【０１５３】
なお、本発明の要旨を逸脱しない範囲で各種の変形が可能である。
【０１５４】
本発明の通信システムを、家庭内において適用してもよい。
【０１５５】
例えば、家庭に設置されている機器（例えば、エアコン、テレビおよび給湯器など）が、Ｂｌｕｅｔｏｏｔｈに対応しているものとする。
【０１５６】
そして、利用者は帰宅した場合、所定の場所（例えば、玄関）に備え付けられた認証装置２とＲＦＩＤによる第１の通信が可能な範囲内に携帯電話機１をかざす。すると、携帯電話機１と認証装置２とが協働して、Ｂｌｕｅｔｏｏｔｈによる第２の通信で接続する。該接続がされると、携帯電話機１は、Ｂｌｕｅｔｏｏｔｈ通信用のアプリケーションＡＰＬが起動するため、あらかじめ設定しておいた家庭内のＢｌｕｅｔｏｏｔｈ対応の各機器（例えば、エアコン、テレビおよび給湯器など）とのペアリングが行われる。これにより、利用者は、携帯電話機１を用いて、ペアリングで接続されている各機器の操作が可能となる。そのため、利用者が、テレビ用のリモコンを探したりすることや、給湯器を操作するための該給湯器の設置場所へ移動したりすることが不要となる。
【０１５７】
また、本発明の通信システムを、所定の交通機関（例えば、鉄道や航空機）に乗降するための施設（例えば、駅や空港）にて適用してもよい。
【０１５８】
この場合、当該交通機関（例えば、鉄道や航空機）に設置されている改札機などに認証装置２を配置しておく。そして、利用者が、携帯電話機１を携帯して改札を通る時にBluetoothによる通信で、当該施設（例えば、駅）周辺に存在する店舗などの広告情報を配信してもよい。この場合、日常的にその施設を使用する利用者に対して、大きな広告効果が期待できる。
【０１５９】
なお、本発明においては、携帯電話機１内の処理は上述の専用のハードウェアにより実現されるもの以外に、その機能を実現するためのプログラムを携帯電話機１にて読取可能な記録媒体に記録し、この記録媒体に記録されたプログラムを携帯電話機１に読み込ませ、実行するものであってもよい。携帯電話機１にて読取可能な記録媒体とは、フロッピーディスク（登録商標）、光磁気ディスク、ＤＶＤ、ＣＤなどの移設可能な記録媒体の他、携帯電話機１に内蔵されたＨＤＤ等を指す。この記録媒体に記録されたプログラムは、例えば、携帯電話機１が有する制御部１１にて読み込まれ、制御部１１の制御によって、上述したものと同様の処理が行われる。
【０１６０】
ここで、携帯電話機１が有する制御部１１は、プログラムが記録された記録媒体から読み込まれたプログラムを実行するコンピュータとして動作するものである。
【０１６１】
以上、実施形態を参照して本発明を説明したが、本発明は上記実施形態に限定されるものではない。本発明の構成や詳細には、本発明の要旨を逸脱しない範囲で当業者が理解し得る各種の変形が可能である。
【図面の簡単な説明】
【０１６２】
【図１】本発明の実施形態に従った通信システムの構成を示す図である。
【図２】図１に示した携帯電話機の構成を示す図である。
【図３】図２に示した通信制御部の構成を示す図である。
【図４】図１に示した認証装置の構成を示す図である。
【図５】図４に示した通信制御部の構成を示す図である。
【図６】携帯電話機と認証装置とが、利用者からの入力を伴うことなしに自動的に第２の通信により通信を開始するときの動作を示すシーケンス図である。
【符号の説明】
【０１６３】
１  携帯電話機
１１  制御部
１１Ａ  通信制御部
１１Ｂ  他動作制御部
１１Ｃ  デコーダ／エンコーダ
１２  第１通信部
１３  第２通信部
１４  記憶部
１５  入力部
１６  通知部
１７  バス
２  認証装置
２１  制御部
２１Ａ  通信制御部
２１Ｂ  他動作制御部
２１Ｃ  デコーダ／エンコーダ
２２  第１通信部
２３  第２通信部
２４  記憶部
２５  入力部
２６  バス
【図１】
2010114740.tif 000003
【図２】
2010114740.tif 000004
【図３】
2010114740.tif 000005
【図４】
2010114740.tif 000006
【図５】
2010114740.tif 000007
【図６】
2010114740.tif 000008